(57)【要約】【課題】  ＤＣバランスをとりつつイオンの不均一な分布で生じる残像を抑制する電気泳動表示装置の駆動方法等を提供する。【解決手段】  共通電極に第１、第２の電位を繰り返す駆動パルス信号に基づく電圧を印加し、画素電極に駆動パルス信号の反転又は正転信号に基づく電圧を印加して画像を書き換える部分駆動方式によって、表示部に第１の画像を第２色で表示させる第１画像予備表示工程Ｓ１、第１の画像を第１色で表示させる第１画像表示工程Ｓ２、第１の画像の背景を第２色で表示させる第１画像予備消去工程Ｓ３、第１の画像の背景を第１色で表示させる第１画像消去工程Ｓ４、第２の画像の背景を第１色で表示させる第２画像予備表示工程Ｓ１１、第２の画像の背景を第２色で表示させる第２画像表示工程Ｓ１２、第２の画像を第１色で表示させる第２画像予備消去工程Ｓ１３、第２の画像を第２色で表示させる第２画像消去工程Ｓ１４を含む。【選択図】図１４
2013130629.tif 000002
【特許請求の範囲】
【請求項１】
一対の基板間に電気泳動粒子を含む電気泳動素子を狭持し、少なくとも第１色と第２色を表示可能な画素を有する表示部を含み、一方の前記基板と前記電気泳動素子との間に前記画素に対応する画素電極が形成され、他方の前記基板と前記電気泳動素子との間に、複数の前記画素電極と対向する共通電極が形成された電気泳動表示装置の駆動方法であって、
前記共通電極に第１の電位と第２の電位とを繰り返す駆動パルス信号に基づく電圧を印加し、複数の前記画素電極のそれぞれに前記駆動パルス信号の反転信号、又は正転信号に基づく電圧を印加し、前記画素電極と前記共通電極との間に生じた電界によって前記電気泳動粒子を移動させることで前記表示部に表示される画像を書き換える部分駆動方式によって、前記表示部に第１の画像を第２色で表示させる第１画像予備表示工程と、
前記第１画像予備表示工程の後に、前記部分駆動方式によって、前記表示部に前記第１の画像を第１色で表示させる第１画像表示工程と、
前記第１画像表示工程の後に、前記部分駆動方式によって、前記表示部に前記第１の画像の背景を前記第２色で表示させる第１画像予備消去工程と、
前記第１画像予備消去工程の後に、前記部分駆動方式によって、前記表示部に前記第１の画像の背景を前記第１色で表示させる第１画像消去工程と、
前記第１画像消去工程の後に、前記部分駆動方式によって、前記表示部に第２の画像の背景を前記第１色で表示させる第２画像予備表示工程と、
前記第２画像予備表示工程の後に、前記部分駆動方式によって、前記表示部に前記第２の画像の背景を前記第２色で表示させる第２画像表示工程と、
前記第２画像表示工程の後に、前記部分駆動方式によって、前記表示部に前記第２の画像を前記第１色で表示させる第２画像予備消去工程と、を含み、
前記第２画像予備消去工程の後に、前記部分駆動方式によって、前記表示部に前記第２の画像を前記第２色で表示させる第２画像消去工程と、を含み、
前記第２画像消去工程の後に、次の第１画像予備表示工程が実行される、電気泳動表示装置の駆動方法。
【請求項２】
請求項１に記載の電気泳動表示装置の駆動方法において、
前記第１画像消去工程の後、前記第２画像予備表示工程の前に、前記表示部の全画素を前記第１色で表示させる第１単一色表示工程と、
前記第２画像消去工程の後、次の第１画像予備表示工程の前に、前記表示部の全画素を前記第２色で表示させる第２単一色表示工程と、を含む電気泳動表示装置の駆動方法。
【請求項３】
請求項１乃至２のいずれか１項に記載の電気泳動表示装置の駆動方法において、
前記第１画像予備表示工程、前記第１画像予備消去工程、前記第２画像予備表示工程、および前記第２画像予備消去工程は、
これらの工程以外の工程よりも、電圧時間積が小さい、電気泳動表示装置の駆動方法。
【請求項４】
請求項１乃至３のいずれか１項に記載の電気泳動表示装置の駆動方法を実行する制御部を備えた電気泳動表示装置。
【請求項５】
請求項４に記載の電気泳動表示装置を含む電子機器。
【請求項６】
請求項４に記載の電気泳動表示装置を含む電子時計。
【発明の詳細な説明】
【技術分野】
【０００１】
本発明は、電気泳動表示装置の駆動方法、電気泳動表示装置、電子機器及び電子時計等に関する。
【背景技術】
【０００２】
近年、電源を切っても画像を保持できるメモリー性を有する表示パネルが開発され、電子時計等にも使用されている。メモリー性を有する表示パネルとしては、ＥＰＤ（Electrophoretic Display）すなわち電気泳動表示装置や、メモリー性液晶表示装置等が知られている。
【０００３】
電気泳動表示装置は、視野角の広さ、コントラスト比の高さ、柔軟性、反射型ディスプレイであるゆえの低消費電力などの優れた利点がある。
【０００４】
一方で、特許文献１に記載されているように、電気泳動表示装置において電極間に印加される電界の時間平均がほぼゼロでなければ、装置の動作寿命が短くなる恐れがある。つまり、電気泳動表示装置の長期信頼性を確保するためには、ＤＣバランスがとられること、すなわち印加される電界の時間平均がほぼゼロになることが必要になる。
【先行技術文献】
【特許文献】
【０００５】
【特許文献１】特表２００５−５３０２０１号公報
【発明の概要】
【発明が解決しようとする課題】
【０００６】
ここで、電気泳動表示装置は、表示部の全体を描画する全面駆動方式、又は書き換え対象である一部を描画することも可能な部分駆動方式により画像を表示することができる。電気泳動表示装置の表示部は、例えば画像の画素に対応する画素電極と透明な共通電極とを含み、これらの電極のそれぞれに電圧を印加して、発生した電界によって電気泳動素子を移動させることで画像を更新する。
【０００７】
常に全面駆動方式で表示部の全体を描画すると、部分駆動方式と比べて表示画像の更新に時間がかかる。そこで、部分駆動方式を主として用いることで、電圧の印加に用いる信号の駆動時間を短くすることが考えられる。
【０００８】
しかし、部分駆動方式においては表示部の一部のみを描画するため、例えば電気泳動表示層と、複数の画素電極が形成された駆動電極層との間に存在する接着層のイオン分布を不均一にする可能性がある。イオン分布が不均一であると、実効的な電界の強さに差異が生じる。そのため、例えば隣接する画素を同色に表示しようとしても、画素によって反射率が異なり、一種の残像として認識されることがある。
【０００９】
本発明はこのような問題点に鑑みてなされたものである。本発明のいくつかの態様によれば、ＤＣバランスをとりつつ、イオンの不均一な分布で生じる残像を抑制する電気泳動表示装置の駆動方法等を提供する。
【課題を解決するための手段】
【００１０】
（１）本発明は、一対の基板間に電気泳動粒子を含む電気泳動素子を狭持し、少なくとも第１色と第２色を表示可能な画素を有する表示部を含み、一方の前記基板と前記電気泳動素子との間に前記画素に対応する画素電極が形成され、他方の前記基板と前記電気泳動素子との間に、複数の前記画素電極と対向する共通電極が形成された電気泳動表示装置の駆動方法であって、前記共通電極に第１の電位と第２の電位とを繰り返す駆動パルス信号に基づく電圧を印加し、複数の前記画素電極のそれぞれに前記駆動パルス信号の反転信号、又は正転信号に基づく電圧を印加し、前記画素電極と前記共通電極との間に生じた電界によって前記電気泳動粒子を移動させることで前記表示部に表示される画像を書き換える部分駆動方式によって、前記表示部に第１の画像を第２色で表示させる第１画像予備表示工程と、前記第１画像予備表示工程の後に、前記部分駆動方式によって、前記表示部に前記第１の画像を第１色で表示させる第１画像表示工程と、前記第１画像表示工程の後に、前記部分駆動方式によって、前記表示部に前記第１の画像の背景を前記第２色で表示させる第１画像予備消去工程と、前記第１画像予備消去工程の後に、前記部分駆動方式によって、前記表示部に前記第１の画像の背景を前記第１色で表示させる第１画像消去工程と、前記第１画像消去工程の後に、前記部分駆動方式によって、前記表示部に第２の画像の背景を前記第１色で表示させる第２画像予備表示工程と、前記第２画像予備表示工程の後に、前記部分駆動方式によって、前記表示部に前記第２の画像の背景を前記第２色で表示させる第２画像表示工程と、前記第２画像表示工程の後に、前記部分駆動方式によって、前記表示部に前記第２の画像を前記第１色で表示させる第２画像予備消去工程と、を含み、前記第２画像予備消去工程の後に、前記部分駆動方式によって、前記表示部に前記第２の画像を前記第２色で表示させる第２画像消去工程と、を含み、前記第２画像消去工程の後に、次の第１画像予備表示工程が実行される。
【００１１】
本発明によれば、部分駆動方式によって８つの工程を順に実行する。８つの工程は、４つの主要な工程（以下、主要工程）と、これらの工程のそれぞれの前に行われる４つの予備工程を含む。４つの主要工程は、第１の画像を第１色で表示させる第１画像表示工程、第１の画像の背景を第１色で表示させる第１画像消去工程、第２の画像の背景を第２色で表示させる第２画像表示工程、第２の画像を第２色で表示させる第２画像消去工程、である。
【００１２】
４つの予備工程は、第１の画像を第２色で表示させる第１画像予備表示工程、第１の画像の背景を第２色で表示させる第１画像予備消去工程、第２の画像の背景を第１色で表示させる第２画像予備表示工程、第２の画像を第１色で表示させる第２画像予備消去工程、である。
【００１３】
また、部分駆動方式は、共通電極に第１の電位と第２の電位とを繰り返す駆動パルス信号に基づく電圧を印加し、複数の画素電極のそれぞれに駆動パルス信号の反転信号、又は正転信号に基づく電圧を印加し、画素電極と共通電極との間に生じた電界によって電気泳動粒子を移動させることで表示部に表示される画像を書き換える。部分駆動方式では、表示部の全体だけでなく、書き換え対象である一部を描画することが可能である。
【００１４】
ここで、第１色とは例えば黒色であり、第２色とは例えば白色である。第１の画像、第２の画像は表示部の一部に表示される画像であって、文字、数字、文章、図形、記号、模様等のいずれか又はこれらの組み合わせであってもよい。また、第１の画像、第２の画像は、第１画像表示工程、第２画像表示工程で表示される度に異なる文字、数字、文章、図形、記号、模様等に変化してもよい。第１の画像の背景、第２の画像の背景は、表示部におけるそれぞれ第１の画像以外の部分、第２の画像以外の部分をいう。
【００１５】
本発明の電気泳動表示装置の駆動方法では、４つの主要工程でＤＣバランスをとることができ、また、４つの予備工程でＤＣバランスをとることができるので、全体としてＤＣバランスをとることができる。例えば、４つの主要工程では、第１画像表示工程と第１画像消去工程とで合わせて表示部全体を第１色に表示する。そして、第２画像表示工程と第２画像消去工程とで合わせて表示部全体を第２色に表示するのでＤＣバランスがとられる。４つの予備工程についても同様である。
【００１６】
また、８つの工程の全ては部分駆動方式によって実行される。そのため、全面駆動方式に比べて駆動時間を短くすることが可能である。そして、４つの予備工程を備えているので、例えば接着層内のイオンの不均一な分布で生じる残像を抑制することができる。
【００１７】
本発明では、４つの主要工程それぞれの前に、続く工程と同じ書き換え対象（例えば第１の画像）を反転した色で表示する予備工程を実行する。そのため、４つの主要工程の実行時には、書き換え対象の画素について接着層内のイオンの分布が均一になっている。
【００１８】
よって、本発明の電気泳動表示装置の駆動方法は、ＤＣバランスをとりつつ、イオンの不均一な分布で生じる残像を抑制する。そのため、長期信頼性を確保でき、表示品質が向上する。
【００１９】
（２）この電気泳動表示装置の駆動方法において、前記第１画像消去工程の後、前記第２画像予備表示工程の前に、前記表示部の全画素を前記第１色で表示させる第１単一色表示工程と、前記第２画像消去工程の後、次の第１画像予備表示工程の前に、前記表示部の全画素を前記第２色で表示させる第２単一色表示工程と、を含んでもよい。
【００２０】
本発明によれば、第１単一色表示工程および第２単一色表示工程を含むことで、第１の画像や第２の画像の輪郭部分に生じる境界線（以下、パターン境界線）がある場合でも、パターン境界線を目立たなくすることができる。
【００２１】
４つの主要工程のうち第１画像表示工程、第１画像消去工程では、部分駆動方式によって第１の画像を表示、消去する。また、第２画像表示工程、第２画像消去工程でも、部分駆動方式によって第２の画像を表示、消去する。しかし、第１の画像、第２の画像を消去した後に、パターン境界線が視認されることがある。パターン境界線は、例えば後述する電気泳動粒子のうち、最後に駆動された色の粒子が斜め方向の電界により広がるために生じると考えられている。
【００２２】
本発明の電気泳動表示装置の駆動方法は、第１画像消去工程の後に、全画素を第１色で表示させる第１単一色表示工程を実行する。また、第２画像消去工程の後に、全画素を第２色で表示させる第２単一色表示工程を実行する。そのため、万一パターン境界線が生じても消去を行い、表示品質を向上させることができる。
【００２３】
第１単一色表示工程、第２単一色表示工程は、表示更新にかかる時間を短縮するために部分駆動方式で行われることが好ましいが、全面駆動方式でもよい。なお、第１単一色表示工程および第２単一色表示工程では、それぞれの工程で、複数回の単一色表示を行ってもよい。例えば、第１単一色表示工程において、全画素を第１色、第２色、第１色の順に表示してもよい。この場合には、第２単一色表示工程において、全画素を第２色、第１色、第２色の順に表示する。
【００２４】
なお、本発明の電気泳動表示装置の駆動方法では、第１単一色表示工程と第２単一色表示工程とでＤＣバランスがとられることになる。よって、本発明の電気泳動表示装置の駆動方法の全体としてもＤＣバランスがとられている。
【００２５】
（３）この電気泳動表示装置の駆動方法において、前記第１画像予備表示工程、前記第１画像予備消去工程、前記第２画像予備表示工程、および前記第２画像予備消去工程は、これらの工程以外の工程よりも、電圧時間積が小さくてもよい。
【００２６】
本発明によれば、予備工程（第１画像予備表示工程、第１画像予備消去工程、第２画像予備表示工程、第２画像予備消去工程）を含んでも、予備工程の電圧時間積を主要工程（予備工程以外の工程）よりも小さくすることで、予備工程が追加されることによる表示画像の更新時間および消費電力の少なくとも一方の増大を抑えることができる。
【００２７】
（４）本発明は、前記の電気泳動表示装置の駆動方法を実行する制御部を備えた電気泳動表示装置であってもよい。
【００２８】
本発明によれば、電気泳動表示装置が含む制御部によって前記の制御方法が実現される。そのため、本発明の電気泳動表示装置は、ＤＣバランスをとりつつ、イオンの不均一な分布で生じる残像を抑制する。そのため、長期的信頼性に優れており、表示品質が向上する。
【００２９】
（５）本発明は、前記電気泳動表示装置を含む電子機器であってもよい。
【００３０】
（６）本発明は、前記電気泳動表示装置を含む電子時計であってもよい。
【００３１】
これらの発明の電子機器、電子時計は、前記の電気泳動表示装置を用いることで、ＤＣバランスをとりつつ、イオンの不均一な分布で生じる残像を抑制する。そのため、長期的信頼性に優れ、表示品質のよい電子機器、電子時計を実現できる。
【図面の簡単な説明】
【００３２】
【図１】第１実施形態における電気泳動表示装置のブロック図。
【図２】第１実施形態における電気泳動表示装置の画素の構成例を示す図。
【図３】図３（Ａ）は電気泳動素子の構成例を示す図。図３（Ｂ）、図３（Ｃ）は電気泳動素子の動作の説明図。
【図４】図４（Ａ）〜図４（Ｂ）は部分駆動方式の波形図、反射率の例。
【図５】図５（Ａ）〜図５（Ｄ）は局所的なコントラスト比の低下を説明する図。
【図６】図６（Ａ）〜図６（Ｂ）は全面駆動方式の波形図、反射率の例。
【図７】図７（Ａ）〜図７（Ｅ）は全面駆動方式での残像発生を説明する図。
【図８】図８（Ａ）〜図８（Ｈ）は比較例における表示例。
【図９】比較例のフローチャート。
【図１０】図１０（Ａ）〜図１０（Ｃ）は比較例での残像発生を説明する図。
【図１１】図１１（Ａ）〜図１１（Ｄ）は比較例での残像発生の例を示す図。
【図１２】図１２（Ａ）〜図１２（Ｂ）は第１実施形態における比較例での残像の解消を説明する図。
【図１３】図１３（Ａ）〜図１３（Ｈ）は第１実施形態の表示例。
【図１４】第１実施形態のフローチャート。
【図１５】第１実施形態の波形図。
【図１６】図１６（Ａ）〜図１６（Ｊ）は第２実施形態の表示例。
【図１７】第２実施形態のフローチャート。
【図１８】適用例の電子機器のブロック図。
【図１９】図１９（Ａ）は電子機器の一例である電子時計の図、図１９（Ｂ）は電子機器の一例である電子ペーパーの図。
【発明を実施するための形態】
【００３３】
１．第１実施形態
本発明の第１実施形態について図１〜図７（Ｅ）、図１２（Ａ）〜図１５を参照して説明する。第１実施形態の電気泳動表示装置は、文字、数字、写真、模様、イラスト等の様々な画像を表示可能であるとする。なお、第１実施形態の電気泳動表示装置の駆動方法を説明するために、比較例の電気泳動表示装置の駆動方法（以下、単に比較例とよぶ）について途中で説明する。比較例も、第１実施形態と同じ構成の電気泳動表示装置で実現できる。比較例は図８（Ａ）〜図１１（Ｄ）を参照して説明する。
【００３４】
１．１．電気泳動表示装置の構成
図１は、本実施形態のアクティブマトリックス方式の電気泳動表示装置の構成を示す図である。
【００３５】
電気泳動表示装置１０は、表示制御回路６０、表示部３を含む。表示制御回路６０は、表示部３を制御する制御部であり、走査線駆動回路６１、データ線駆動回路６２、コントローラー６３、共通電源変調回路６４、記憶部１６０を含む。
【００３６】
走査線駆動回路６１、データ線駆動回路６２、共通電源変調回路６４、記憶部１６０は、それぞれコントローラー６３と接続されている。コントローラー６３は、例えば時刻信号等の入力信号（図外）に基づいて、これらを総合的に制御する。
【００３７】
記憶部１６０は、例えばＶＲＡＭと、例えばフラッシュメモリー等の不揮発性メモリーを含んでいてもよい（図外）。ＶＲＡＭは表示部３に表示させる画像のデータを記憶する。ＶＲＡＭは複数のバンクに分かれており、それぞれが個別のＶＲＡＭとして機能してもよい。また、不揮発性メモリーはＶＲＡＭに記憶されたデータを構成する要素のデータ（例えばパーツデータや背景データ）を記憶する。なお、記憶部１６０は、その他に例えばＳＲＡＭ、ＤＲＡＭ等を含んでいてもよい。
【００３８】
表示部３には、走査線駆動回路６１から延びる複数の走査線６６と、データ線駆動回路６２から延びる複数のデータ線６８とが形成されており、これらの交差位置に対応して複数の画素４０が設けられている。
【００３９】
走査線駆動回路６１は、ｍ本の走査線６６（Ｙ１、Ｙ２、…、Ｙｍ）により各画素４０に接続されている。走査線駆動回路６１は、コントローラー６３の制御に従って１行目からｍ行目までの走査線６６を順次選択することで、画素４０に設けられた駆動用ＴＦＴ４８（図２参照）のオンタイミングを規定する選択信号を供給する。
【００４０】
データ線駆動回路６２は、ｎ本のデータ線６８（Ｘ１、Ｘ２、…、Ｘｎ）により各画素４０に接続されている。データ線駆動回路６２は、コントローラー６３の制御に従って、画素４０のそれぞれに対応する１ビットの画像データを規定する画像信号を画素４０に供給する。なお、本実施形態では、画素データ「０」を規定する場合には、ローレベルの画像信号を画素４０に供給し、画素データ「１」を規定する場合には、ハイレベルの画像信号を画素４０に供給するものとする。
【００４１】
表示部３には、また、共通電源変調回路６４から延びる低電位電源線４９（Ｖｓｓ）、高電位電源線５０（Ｖｄｄ）、共通電極配線５５（Ｖｃｏｍ）、第１のパルス信号線９１（Ｓ１）、第２のパルス信号線９２（Ｓ２）が設けられており、それぞれの配線は画素４０と接続されている。共通電源変調回路６４は、コントローラー６３の制御に従って上記配線のそれぞれに供給する各種信号を生成する一方、これら各配線の電気的な接続及び切断（ハイインピーダンス化、Ｈｉ−Ｚ）を行う。
【００４２】
１．２．画素部分の回路構成
図２は、図１の画素４０の回路構成図である。なお、図１と同じ配線には同じ番号を付しており、説明は省略する。また、全画素に共通の共通電極配線５５については記載を省略している。
【００４３】
画素４０には、駆動用ＴＦＴ（Thin Film Transistor）４８と、ラッチ回路７０と、スイッチ回路８０が設けられている。画素４０は、ラッチ回路７０により画像信号を電位として保持するＳＲＡＭ（Static Random Access Memory）方式の構成をとる。
【００４４】
駆動用ＴＦＴ４８は、Ｎ−ＭＯＳトランジスタからなる画素スイッチング素子である。駆動用ＴＦＴ４８のゲート端子は走査線６６に接続され、ソース端子はデータ線６８に接続され、ドレイン端子はラッチ回路７０のデータ入力端子に接続されている。ラッチ回路７０は転送インバーター７０ｔと帰還インバーター７０ｆとを備えている。転送インバーター７０ｔ、帰還インバーター７０ｆには、低電位電源線４９（Ｖｓｓ）と高電位電源線５０（Ｖｄｄ）から電源電圧が供給される。
【００４５】
スイッチ回路８０は、トランスミッションゲートＴＧ１、ＴＧ２からなり、ラッチ回路７０に記憶された画素データのレベルに応じて、画素電極３５（図３（Ｂ）、図３（Ｃ）参照）に信号を出力する。なお、Ｖａは、１つの画素４０の画素電極へ供給される電位（信号）を意味する。
【００４６】
ラッチ回路７０に画素データ「１」（ハイレベルの画像信号）が記憶されて、トランスミッションゲートＴＧ１がオン状態となると、スイッチ回路８０はＶａとして信号Ｓ１を供給する。一方、ラッチ回路７０に画素データ「０」（ローレベルの画像信号）が記憶されて、トランスミッションゲートＴＧ２がオン状態となると、スイッチ回路８０はＶａとして信号Ｓ２を供給する。このような回路構成により、表示制御回路６０はそれぞれの画素４０の画素電極に対して供給する電位（信号）を制御することが可能である。
【００４７】
１．３．表示方式
本実施形態の電気泳動表示装置１０は、二粒子系マイクロカプセル型の電気泳動方式であるとする。分散液は無色透明、電気泳動粒子は白色又は黒色のものであるとすると、白色又は黒色の２色を基本色として少なくとも２色を表示できる。ここでは、電気泳動表示装置１０は、基本色として黒色と白色とを表示可能であるとして説明する。そして、黒色を表示している画素を白色で表示すること、又は白色を表示している画素を黒色で表示することを反転と表現する。
【００４８】
図３（Ａ）は、本実施形態の電気泳動素子１３２の構成を示す図である。電気泳動素子１３２は素子基板１３０と対向基板１３１（図３（Ｂ）、図３（Ｃ）参照）との間に挟まれている。電気泳動素子１３２は、複数のマイクロカプセル１２０を配列して構成される。マイクロカプセル１２０は、例えば無色透明な分散液と、複数の白色の電気泳動粒子（白色粒子１２７）と、複数の黒色の電気泳動粒子（黒色粒子１２６）とを封入している。本実施形態では、例えば白色粒子１２７は負に帯電しており、黒色粒子１２６は正に帯電しているとする。
【００４９】
図３（Ｂ）は、電気泳動表示装置１０の表示部３の部分断面図である。素子基板１３０と対向基板１３１は、マイクロカプセル１２０を配列してなる電気泳動素子１３２を狭持している。表示部３（図１参照）は、素子基板１３０の電気泳動素子１３２側に、複数の画素電極３５が形成された駆動電極層３５０を含む。図３（Ｂ）では、画素電極３５として画素電極３５Ａと画素電極３５Ｂが示されている。画素電極３５により、画素ごとに電位を供給することが可能である（例えば、Ｖａ、Ｖｂ）。ここで、画素電極３５Ａを有する画素を画素４０Ａとし、画素電極３５Ｂを有する画素を画素４０Ｂとする。画素４０Ａ、画素４０Ｂは画素４０（図１、図２参照）に対応する２つの画素である。
【００５０】
一方、対向基板１３１は透明基板であり、表示部３において対向基板１３１側に画像表示がなされる。表示部３は、対向基板１３１の電気泳動素子１３２側に、平面形状の共通電極３７が形成された共通電極層３７０を含む。なお、共通電極３７は透明電極である。共通電極３７は、画素電極３５と異なり全画素に共通の電極であり、電位Ｖｃｏｍが供給される。
【００５１】
共通電極層３７０と駆動電極層３５０との間に設けられた電気泳動表示層３６０に電気泳動素子１３２が配置されており、電気泳動表示層３６０が表示領域となる。共通電極３７と画素電極（例えば、３５Ａ、３５Ｂ）との間の電位差に応じて、画素毎に所望の表示色を表示させることができる。なお、電気泳動表示層３６０を駆動電極層３５０に対して固定するために、これらの間に例えば導電性の接着層（図外）が設けられることがある。
【００５２】
図３（Ｂ）では、共通電極側の電位Ｖｃｏｍが画素４０Ａの画素電極の電位Ｖａよりも高電位である。このとき、負に帯電した白色粒子１２７が共通電極３７側に引き寄せられ、正に帯電した黒色粒子１２６が画素電極３５Ａ側に引き寄せられるため、画素４０Ａは白色を表示していると視認される。
【００５３】
図３（Ｃ）では、共通電極側の電位Ｖｃｏｍが画素４０Ａの画素電極の電位Ｖａよりも低電位である。このときは逆に、正に帯電した黒色粒子１２６が共通電極３７側に引き寄せられ、負に帯電した白色粒子１２７が画素電極３５Ａ側に引き寄せられるため、画素４０Ａは黒色を表示していると視認される。なお、図３（Ｃ）の構成は図３（Ｂ）と同様であり説明は省略する。また、図３（Ｂ）、図３（Ｃ）ではＶａ、Ｖｂ、Ｖｃｏｍを固定された電位として説明したが、実際にはＶａ、Ｖｂ、Ｖｃｏｍは時間とともに電位が変化する。以下では、電位Ｖａ、Ｖｂ、Ｖｃｏｍを与える信号をパルス信号という。そして、特に共通電極へのパルス信号を駆動パルス信号という。
【００５４】
ここで、図３（Ｂ）の後に、図３（Ｃ）の状態に変化したとする。このとき、画素４０Ａは白色の後に黒色が表示されており、印加電界の方向が正反対に変化している。画素４０Ａについては、印加電界が対称的でありＤＣバランスがとられている。一方、画素４０Ｂは白色だけが表示されており、印加電界が対称的でなく、ＤＣバランスがとられていない。電気泳動表示装置の長期信頼性を確保するためには、この例の画素４０Ａのように、反転表示を行う必要がある。
【００５５】
１．４．駆動方式
まず、制御部（図１の表示制御回路６０が対応）が表示部に画像を表示する制御を行うときのパルス信号の駆動方式について図４（Ａ）〜図７（Ｅ）を参照して説明する。
【００５６】
１．４．１．部分駆動方式
図４（Ａ）は部分駆動方式の波形図である。電気泳動表示装置では、応答速度を速めるために、表示部の全体を描画するのではなく、書き換え対象である一部を描画する場合がある。部分駆動方式によって、書き換え対象である一部の描画ができる。なお、図４（Ａ）のＶａ、Ｖｂ、Ｖｃｏｍは図３（Ｂ）〜図３（Ｃ）と同じであり、Ｖａ、Ｖｂ、Ｖｃｏｍはハイレベル（ＶＨ）、ローレベル（ＶＬ）、またはハイインピーダンス状態（Ｈｉ−Ｚ）をとり得る。
【００５７】
図４（Ａ）のＶｃｏｍは、共通電極への駆動パルス信号の例を示す。ここでのＶｃｏｍは、あるパルス幅Ｔ１（以下、単にＴ１とする）で第１の電位を共通電極に印加するパルスの後に、短いパルス幅Ｔ２（以下、単にＴ２とする）で第２の電位を共通電極に印加するパルス（逆電位駆動パルス）が続き、それが繰り返される。ただし、図４（Ａ）のように駆動停止の直前では例外的に第１の電位を共通電極に印加して終了する。パルス幅の短い逆電位駆動パルスにより、部分書き換え時の駆動時間をより短縮することができる。ここで、白色表示をする場合には第１の電位はＶＨ（第２の電位はＶＬ）であり、黒色表示をする場合には第１の電位はＶＬ（第２の電位はＶＨ）である。また、例えば、Ｔ２はＴ１の１％〜１５％程の短い時間であってもよい。
【００５８】
この例では、画素４０Ａの画素電極に印加される電位Ｖａを与えるパルス信号は駆動パルス信号の反転信号である。また、画素４０Ｂの画素電極に印加される電位Ｖｂを与えるパルス信号は駆動パルス信号と同じ信号（正転信号）である。画素４０Ａと画素４０Ｂは例えば図３（Ｂ）で示された２つの画素である。画素４０Ａは、図４（Ａ）の「白色表示」と示された期間に黒色から白色へと書き換えられ、「黒色表示」と示された期間に白色から黒色へと書き換えられる。一方、画素４０Ｂは、共通電極と画素電極との間に電界を生じないため書き換えが行われずに当初からの黒色表示を維持する。
【００５９】
図４（Ｂ）は、図４（Ａ）の例による画素４０Ａ、画素４０Ｂの色（反射率）の変化を示す図である。まず、画素４０Ａについて説明する。画素４０Ａは最初に黒色で表示されているものとする。「白色表示」のＴ１に対応する区間では、画素電極の電位はＶＬで共通電極の電位はＶＨであるため白色表示に近づく。しかし、「白色表示」のＴ２に対応する区間では、画素電極の電位はＶＨで共通電極の電位はＶＬであるため黒色表示に近づく。しかし、Ｔ１＞Ｔ２であるため、画素４０Ａは「白色表示」の期間の最後には白色で表示される。そして、画素４０ＡはＶｃｏｍの極性が反転した「黒色表示」の期間の最後には黒色で表示される。
【００６０】
一方、画素４０Ｂは、常にＶｃｏｍと同じ信号が画素電極に供給されているので電位差が生じることはなく当初からの黒色表示を続ける。このように部分駆動方式では、変化させたい画素のみを駆動することができ、画像の書き換えにおける応答速度を速めることができる。特に、パルス幅の短い逆電位駆動パルスを使用することで部分書き換え時の駆動時間を短縮することができる。
【００６１】
なお、書き換え対象である一部を描画する場合に適していることから、このようなパルス信号の駆動方式を部分駆動方式と呼ぶ。しかし、部分駆動方式は、書き換え対象を表示部の一部の画素に限るものではない。そのため、表示部の全画素を、部分駆動方式で描画することが可能である。
【００６２】
１．４．２．部分駆動方式での問題
図５（Ａ）〜図５（Ｄ）は、部分駆動方式で一部の領域を書き換え続けた場合における局所的なコントラスト比の低下を説明する図である。図５（Ａ）〜図５（Ｃ）では、表示部３に時刻表示（１０：０５、又は１０：０６）が行われており、部分駆動方式で分一桁を含む領域５１を書き換えている。
【００６３】
図５（Ａ）では時刻１０：０５が表示されている。そして、時刻が１０：０６に変化するときに、図５（Ｂ）のように領域５１の分一桁の「５」を反転表示（白色に表示）して消去する。次に、図５（Ｃ）のように、白色を背景とする黒色の「６」が正転表示される。このとき、図５（Ａ）と図５（Ｂ）とでＤＣバランスがとられ、しかも表示部３の一部である領域５１の範囲で更新されるので更新表示にかかる時間は短くてすむ。図５（Ａ）〜図５（Ｃ）のように時刻表示を部分駆動方式によって更新することで、ＤＣバランスをとって長期信頼性を確保し、早い更新表示が可能な電気泳動表示装置を実現できる。
【００６４】
しかし、このような更新表示を長期間続けると、局所的なコントラスト比の低下を生じることがある。この様子を表したのが図５（Ｄ）である。図５（Ｄ）では、表示部３の全面を白色表示しているが、領域５１においてコントラスト比の低下が生じている。そのため、領域５１の白色が他の領域（例えば領域５２）と異なっている。
【００６５】
ここで、局所的なコントラスト比の低下は、表示部３の一部の領域５１に電界を印加することを長い間繰り返すことで生じる。つまり、領域５１についての電圧の印加に用いる信号を駆動する回数と、領域５１以外の領域（例えば領域５２）についての駆動回数とが、時間の経過と共に大きく異なってくることで生じる。図５（Ｄ）のような局所的なコントラスト比の低下は、表示部３の表示品質を低下させてしまう。
【００６６】
１．４．３．全面駆動方式
図６（Ａ）は全面駆動方式の波形図である。電気泳動表示装置では、表示部の全体を描画する全面駆動方式で画像を表示することもできる。このとき、表示部の一部の領域に電界を印加することを長い間繰り返すことがないので、部分駆動方式とは異なり、局所的なコントラスト比の低下を生じることはない。なお、図６（Ａ）のＶａ、Ｖｂ、ＶｃｏｍやＶＨ、ＶＬは、図３（Ａ）〜図４（Ｂ）と同じであり説明を省略する。
【００６７】
図６（Ａ）は、全面駆動方式によって、画素４０Ａを黒色から白色に、画素４０Ｂを白色から黒色に変化させる場合の波形図を示す。図６（Ａ）では表示色が変化する間、Ｖａはローレベル（ＶＬ）のままであり、Ｖｂはハイレベル（ＶＨ）のままである。そして、ＶｃｏｍはＶＬとＶＨとを等しい時間だけ繰り返している。つまり、図６（Ａ）のパルス幅Ｔ３（以下、単にＴ３とする）とパルス幅Ｔ４（以下、単にＴ４とする）とは等しい。
【００６８】
図６（Ｂ）は、図６（Ａ）の例による画素４０Ａ、画素４０Ｂの色（反射率）の変化を示す図である。画素４０Ａについては、最初に黒色で表示されている。図６（Ｂ）のＴ３に対応する区間では、画素電極の電位はＶＬで共通電極の電位はＶＨであるため白色表示に近づく。図６（Ｂ）のＴ４に対応する区間では、画素電極と共通電極に電位差が生じないので色は維持される。そして、最終的には画素４０Ａは黒色から白色に変化する。
【００６９】
一方、画素４０Ｂについては、最初に白色で表示されている。図６（Ｂ）のＴ３に対応する区間では、画素電極と共通電極に電位差が生じないので色は維持される。図６（Ｂ）のＴ４に対応する区間では、画素電極の電位はＶＨで共通電極の電位はＶＬであるため黒色表示に近づく。そして、最終的には画素４０Ｂは白色から黒色に変化する。
【００７０】
ここで、全面駆動方式では、表示部３の全ての画素の画素電極にＶＬ又はＶＨの電位が印加される。そして、表示部の一部の領域に対してのみ電界を印加することを長い間繰り返すことがないので、局所的なコントラスト比の低下を生じることはない。
【００７１】
なお、全面駆動方式では、表示部の全画素が描画の対象であり、表示部の一部の画素だけを書き換えることはできない。その名称の通り、表示部の全画素を描画することになる。
【００７２】
１．４．４．全面駆動方式での問題
図７（Ａ）〜図７（Ｅ）は全面駆動方式での残像の発生を説明する図である。まず、図７（Ａ）のように、表示部３を４つの領域（左上、右上、左下、右下）に分割し、左上の領域、右上の領域を特にそれぞれ領域Ｘ、領域Ｙとよぶことにする。ここで、図３（Ｂ）のように隣り合う画素４０Ａ、画素４０Ｂがあり、それぞれ領域Ｘ、領域Ｙに含まれるものとする。
【００７３】
図７（Ｂ）〜図７（Ｄ）は、全面駆動方式で画像を更新した様子を表す。まず、図７（Ｂ）では領域Ｘを含む表示部３の左半分が白色で表示されており、領域Ｙを含む右半分が黒色で表示されている。図７（Ｂ）は更新前の元画像であるとする。
【００７４】
その後、領域Ｘ、領域Ｙを含む上半分が黒色の画像となるように表示画像の更新が行われるとする。このとき、ＤＣバランスをとるために、まず図７（Ｃ）のように反転表示が行われる。つまり、図７（Ｃ）のように領域Ｘ、領域Ｙは白色で表示される。
【００７５】
そして、図７（Ｄ）のように領域Ｘ、領域Ｙを含む上半分が黒色の画像が表示されるが、領域Ｙの黒色と領域Ｘの黒色とは異なっている。図７（Ｄ）の例では、領域Ｘの黒色は領域Ｙの黒色よりも反射率が高い。このような反射率の違いにより、全面駆動方式によって画像を更新した場合に残像が発生することがある。
【００７６】
図７（Ｅ）は、領域Ｘに含まれる画素４０Ａと、領域Ｙに含まれる画素４０Ｂの反射率の変化を比較したものである。図７（Ｅ）の区間ＴＢは図７（Ｂ）に、区間ＴＣは図７（Ｃ）に、区間ＴＤは図７（Ｄ）に対応する。まず、画素４０Ａは、最初（区間ＴＢ）は白色であって、その後に白色、黒色と変化する（区間ＴＣ、ＴＤ）。この変化を（白色、白色、黒色）のように表現する。すると、画素４０Ｂの変化は（黒色、白色、黒色）と表すことができる。
【００７７】
ここで、全面駆動方式でパルス信号の駆動時間を十分長くした場合（ＴＥＸ分だけＴＤを延ばす場合）には画素４０Ａも画素４０Ｂも図７（Ｅ）の反射率ＲＣ（＝Ｒ１）に収束する。そのため、反射率に差が生じないので、残像が発生することもない。しかし、実際には表示画像の更新時間を短くするためにＴＥＸ分の延長はない。すると、（白色、白色、黒色）と変化する画素４０Ａは反射率ＲＡに、（黒色、白色、黒色）と変化する画素４０Ｂは反射率ＲＢになるので、反射率に差が生じて残像が発生する。
【００７８】
よって、部分駆動方式ではなく、全面駆動方式を行った場合には、局所的なコントラスト比の低下は生じないが、別の問題として同方式に固有の残像（以下、全面駆動方式固有の残像とする）が発生するおそれがある。そのため、局所的なコントラスト比の低下や全面駆動方式固有の残像の問題を発生させない電気泳動表示装置の駆動方法が求められている。
【００７９】
１．５．比較例における表示例
局所的なコントラスト比の低下や全面駆動方式固有の残像を発生させない電気泳動表示装置の駆動方法として、まず、以下の比較例の方法が考えられる。図８（Ａ）〜図８（Ｈ）は比較例における表示例を表す。図８（Ａ）〜図８（Ｈ）のそれぞれの左図は表示部３の表示画像を表し、右図は表示部３の表示を行うために駆動される画素を濃灰色（ダークグレー）で表した駆動画素１３を表す。駆動画素１３の下部には、全面駆動方式か部分駆動方式かの区別と、駆動画素１３の濃灰色（ダークグレー）で表された画素が黒色表示されるのか、白色表示されるのかの区別が示されている。
【００８０】
図８（Ａ）〜図８（Ｈ）の工程名は、後述するフローチャートの工程名に対応するものである。なお、工程名のあとに付してある括弧で囲まれた数字は、同じ名称の工程を区別するためのもので、実行の順番を表している。
【００８１】
ここで、電気泳動表示装置の制御部は、表示部の画像を、すでに表示している元画像から次の新画像へと更新する制御を行う。つまり、元画像を消去し、新画像を表示するための制御を実行する。
【００８２】
元画像を消去する制御や新画像を表示する制御は所定の順番で実行される。画像の更新に関する制御を実行するそれぞれの段階を工程という。例えば、制御部が第１画像表示制御を実行する段階を第１画像表示工程と表現する。そして、以下において各工程で制御部が対応する制御を実行することを、単に「工程を実行する」と表現する。例えば第１画像表示工程において制御部が第１画像表示制御を実行することを、単に第１画像表示工程を実行する、と表現する。
【００８３】
図８（Ａ）は、第１画像表示工程（１）を実行したときの表示部３の表示画像と、そのための駆動画素１３を表す。第１画像表示工程（１）では、部分駆動方式によって、表示部３に時刻表示１０：０５（第１の画像に対応）を黒色（第１色に対応）で表示する。なお、第１画像表示工程（１）の実行前は、表示部３は全面が白色の状態であったとする。
【００８４】
図８（Ｂ）は、第１画像消去工程（１）を実行したときの表示部３の表示画像と、そのための駆動画素１３を表す。第１画像消去工程（１）では、部分駆動方式によって、表示部３に時刻表示１０：０５以外の部分（第１の画像の背景に対応）を黒色（第１色に対応）で表示する。このとき、表示部３は、全面が黒色の状態になる。
【００８５】
図８（Ｃ）は、第２画像表示工程（１）を実行したときの表示部３の表示画像と、そのための駆動画素１３を表す。第２画像表示工程（１）では、部分駆動方式で、表示部３に時刻表示１０：０６以外の部分（第２の画像の背景に対応）を白色（第２色に対応）で表示する。このとき、表示部３には、黒色で時刻表示１０：０６が表示されることになる。
【００８６】
図８（Ｄ）は、第２画像消去工程（１）を実行したときの表示部３の表示画像と、そのための駆動画素１３を表す。第２画像消去工程（１）では、部分駆動方式で、時刻表示１０：０６（第２の画像に対応）を白色（第２色に対応）で表示する。このとき、表示部３は、全面が白色の状態になる。
【００８７】
図８（Ｅ）は、第２画像消去工程（１）の後で、次の第１画像表示工程（２）を実行したときの表示部３の表示画像と、そのための駆動画素１３を表す。第１画像表示工程（２）では、部分駆動方式で、表示部３に時刻表示１０：０７（第１の画像に対応）を黒色（第１色に対応）で表示する。
【００８８】
以下、図８（Ｆ）〜図８（Ｈ）は、それぞれ図８（Ｂ）〜図８（Ｄ）で、第１の画像が時刻表示１０：０７、第２の画像が時刻表示１０：０８である場合に対応するので、詳細な説明を省略する。なお、図８（Ａ）〜図８（Ｈ）の例では、１分おきに時刻表示が変化して、各工程もその変化に対応して実行される。例えば、時刻表示１０：０５が表示（図８（Ａ））されてから１分後に、表示部３は全面が黒色の状態になり（図８（Ｂ））、続けて時刻表示１０：０６が表示される（図８（Ｃ））。
【００８９】
これらの工程（第１画像表示工程、第１画像消去工程、第２画像表示工程、第２画像消去工程）は、全て部分駆動方式であり、全面駆動方式固有の残像は発生しない。
【００９０】
ここで、第１画像表示工程（１）と第１画像消去工程（１）の駆動画素１３を合わせると表示部全体の画素を黒色へと変化させている（図８（Ａ）〜図８（Ｂ）のａ１）。一方、第２画像表示工程（１）と第２画像消去工程（１）の駆動画素１３を合わせると表示部全体の画素を白色へと変化させている（図８（Ｃ）〜図８（Ｄ）のｂ１）。よって、これらの４つの工程で、ＤＣバランスがとられている（図８（Ａ）〜図８（Ｄ）のａ１とｂ１）。なお、図８（Ｅ）〜図８（Ｈ）のａ２とｂ２についても、同様にＤＣバランスがとられることになる。
【００９１】
ここで、比較例では、部分駆動方式で生じ得る局所的なコントラスト比の低下の問題もない。つまり、表示部全体の画素を黒色（第１画像表示工程と第１画像消去工程）、又は白色（第２画像表示工程と第２画像消去工程）へと変化させているので、表示部全体に均一に電界を印加しているからである。
【００９２】
局所的なコントラスト比の低下は、表示部の一部の領域（以下、特定領域）に電界を印加することを長い間繰り返すことで生じる。つまり、特定領域についての電圧の印加に用いる信号を駆動する回数と、特定領域以外の領域についての駆動回数とが、時間の経過と共に大きく異なってくることで生じる。本発明の電気泳動表示装置の駆動方法では、このような特定領域が生じることはないため、局所的なコントラスト比の低下は発生しない。
【００９３】
よって、比較例は、ＤＣバランスをとりつつ、局所的なコントラスト比の低下や全面駆動方式固有の残像の問題を発生させない電気泳動表示装置の駆動方法である。
【００９４】
１．６．比較例のフローチャート
図９のフローチャートは、制御部が行う比較例の制御処理を表す。図９のように、第１の画像（例えば、分一桁が奇数の時刻表示）を第１色（例えば黒色）で表示させる第１画像表示工程（Ｓ２）が実行される。そして、第１の画像の背景を第１色で表示することで表示部全体を第１色にする第１画像消去工程（Ｓ４）が実行される。続いて、第２の画像（例えば、分一桁が偶数の時刻表示）の背景を第２色（例えば白色）で表示させる第２画像表示工程（Ｓ１２）が実行される。そして、第２の画像を第２色で表示することで表示部全体を第２色にする第２画像消去工程（Ｓ１４）が実行される。そして、第２画像消去工程（Ｓ１４）の後は、次の第１画像表示工程（Ｓ２）に戻る。
【００９５】
ここで、比較例では、これらの４つの工程でＤＣバランスがとられるため、時刻表示のように偶数回の表示画像の更新（表示および消去）が予定されている用途に適している。
【００９６】
１．７．比較例の問題点
しかし、比較例の電気泳動表示装置の駆動方法では、電気泳動表示装置によっては別の理由により残像が生じる可能性がある。図１０（Ａ）〜図１０（Ｃ）は比較例で残像が発生する理由を説明する図である。
【００９７】
図１０（Ａ）〜図１０（Ｃ）において、共通電極３７と画素電極３５Ａ又は画素電極３５Ｂとの間の矢印は電界を表している。図１０（Ａ）〜図１０（Ｃ）は、図３（Ｂ）〜図３（Ｃ）で記載を省略した接着層３８を含んでいる。接着層３８はマイクロカプセルを配列してなる電気泳動素子を固定させる層であり、ここでは、説明のために縮尺を変えて、実際よりも厚く図示している。図１０（Ｂ）〜図１０（Ｃ）の領域３９Ａは、接着層３８における画素電極３５Ａ付近の領域である。
【００９８】
なお、画素４０Ａと画素４０Ｂの回路構成は例えば図２と同じであり、それぞれのラッチ回路に保持された画像データに応じて、Ｖａ、ＶｂとしてＳ１またはＳ２を出力する。つまり、Ｖａ、Ｖｂ、Ｖｃｏｍは、ハイレベル（ＶＨ）、ローレベル（ＶＬ）、またはハイインピーダンス状態（Ｈｉ−Ｚ）をとり得る。また、図３（Ａ）〜図３（Ｃ）と同じ要素には同じ符号を付しており説明を省略する。
【００９９】
ここで、接着層３８が導電性の材料で構成されている場合、比較例の電気泳動表示装置の駆動方法でも残像の問題が生じる可能性がある。まず、図１０（Ａ）のように、共通電極と画素電極の間に電界が印加される前は、接着層３８のイオン（図１０（Ａ）〜図１０（Ｃ）のプラスと記された丸）の分布は均一であると考えられる。
【０１００】
しかし、部分駆動方式で隣接する画素の一方にのみ電界が印加される場合には、イオンの分布に偏りが生じる。図１０（Ｂ）の例は、画素４０Ａのみに電界を印加することで領域３９Ａからイオンが逃げ出し、領域３９Ａにおいて抵抗が大きくなる様子を表している。つまり、画素４０Ａのみに黒色表示する電界を印加し、画素４０Ｂはそれまでの黒色を維持すると、領域３９Ａに存在したイオンが電気的な斥力を受けて拡散する。そのため、領域３９Ａのイオン濃度が低くなり、画素４０Ａ側の抵抗が大きくなる。
【０１０１】
すると、その後に画素４０Ａ、画素４０Ｂを共に同色で表示するために電界を印加しても、抵抗が大きい画素４０Ａ側の電界は弱められて、画素４０Ａと画素４０Ｂとで反射率が異なる。図１０（Ｃ）はこのような問題が生じた様子を表している。図１０（Ｃ）では、画素４０Ａと画素４０Ｂを共に白色で表示するために電界を印加している。しかし、矢印の太さが示すように、抵抗が大きい画素４０Ａ側の実効的な電界は弱められており、画素４０Ｂ側に比べて電気泳動粒子を移動させにくい。そのため、画素４０Ｂに比べて、画素４０Ａの反射率は低く黒っぽい色になる。そのため、残像が生じたと思われる可能性がある。
【０１０２】
なお、ここではイオンが電気的な斥力を受けて拡散して領域３９Ａのイオン濃度が低くなる例を示した。しかし、接着層のイオンの種類と電界の方向の組み合わせによっては、イオンが電気的な引力を受けて集中し、領域３９Ａのイオン濃度が高くなり、画素４０Ａ側の抵抗が小さくなることもあり得る。
【０１０３】
ここで、この問題について、図１１（Ａ）〜図１１（Ｄ）を用いて視覚的に説明する。なお、図７（Ａ）〜図７（Ｄ）と同じ要素には同じ符号を付しており、説明を省略する。まず、図１１（Ａ）のように、隣り合う画素４０Ａ、画素４０Ｂがあり、それぞれ領域Ｘ、領域Ｙに含まれるものとする。画素４０Ａ、画素４０Ｂは、図１０（Ａ）〜図１０（Ｃ）の同じ符号の画素に対応する。
【０１０４】
図１１（Ｂ）は、領域Ｘを含む表示部３の左半分が白色で表示されており、領域Ｙを含む右半分が黒色で表示されている。図１１（Ｂ）は、例えば比較例の第１画像表示工程（図９のＳ２参照）が終了した後の表示である。このとき、画素４０Ａ、画素４０Ｂは図１０（Ａ）のような状態になっているものとする。
【０１０５】
図１１（Ｃ）は、領域Ｘ、領域Ｙを含めた画面全体が黒色で表示されている。図１１（Ｃ）は、例えば比較例の第１画像消去工程（図９のＳ４参照）が終了した後の表示である。このとき、白色であった領域Ｘについては、黒色に表示するための電界が印加される。しかし、黒色であった領域Ｙについては、共通電極と画素電極とに同一の電圧を印加して表示色を維持する。つまり、図１１（Ｃ）の表示を行う第１画像消去工程では、画素４０Ａ、画素４０Ｂは図１０（Ｂ）に示した状態になっている。
【０１０６】
図１１（Ｄ）は、領域Ｘ、領域Ｙを共に白色に表示したが、領域Ｘと領域Ｙとで反射率が異なるため残像のように見える状態を示している。図１１（Ｄ）は、例えば比較例の第２画像表示工程（図９のＳ１２参照）が終了した後の表示である。このとき、第２画像表示工程では、接着層の画素４０Ａ側のイオン濃度が低くなっている。そのため、図１０（Ｃ）のように画素４０Ａ側の電界が弱まる状態になっている。その結果、図１１（Ｄ）のように、領域Ｘ側の白色表示が黒っぽくなる。
【０１０７】
このように、比較例では、部分駆動方式を用いることで解決したはずの残像の問題が再び生じる可能性がある。しかも、接着層は様々な材料が用いられるため、イオン濃度の変化は上記の例に限られない。したがって、本実施形態における電気泳動表示装置の駆動方法は、比較例で生じ得る残像の問題を解決する必要がある。
【０１０８】
１．８．本実施形態における電気泳動表示装置の駆動方法
本実施形態における電気泳動表示装置の駆動方法について図１２（Ａ）〜図１５を用いて説明する。なお、図１〜図１１（Ｄ）と同じ要素については同じ符号を付しており説明を省略する。
【０１０９】
図１２（Ａ）〜図１２（Ｂ）は、比較例で生じ得る残像を解消する方法について説明する図である。図１２（Ａ）は、図１０（Ｂ）のような画素４０Ａと画素４０Ｂとのイオン濃度の分布の不均一を解消する工程を示している。図１２（Ａ）は、図１０（Ｂ）の後に実行され、画素４０Ａと画素４０Ｂを共に黒色表示するように電界を印加している。このとき、領域３９Ｂに存在したイオンも電気的な斥力を受けて拡散し、領域３９Ｂのイオン濃度は領域３９Ａと同様に低くなる。なお、領域３９Ｂは、接着層３８における画素電極３５Ｂ付近の領域である。
【０１１０】
図１２（Ｂ）は、図１２（Ａ）に続いて画素４０Ａ、画素４０Ｂを白色で表示する工程を表している。図１２（Ｂ）は、比較例における図１０（Ｃ）の工程に対応する。ここで、図１０（Ｃ）では領域３９Ａのイオン濃度が低いために画素４０Ａの反射率が画素４０Ｂよりも低下しており、残像が見えていた。図１２（Ｂ）では、領域３９Ｂのイオン濃度も領域３９Ａと同じであるため、画素４０Ａ、画素４０Ｂで電界の強さは同じであり、同じ反射率の白色を表示して残像の問題を解消することができる。なお、この例では、画素４０Ａ、画素４０Ｂは共に電界が弱まるために、印加時間を長くするなどの調整を行ってもよい。
【０１１１】
図１２（Ａ）の工程は、図１２（Ｂ）における画素４０Ａ、画素４０Ｂの白色表示を反転表示（黒色表示）するものである。そして、図１２（Ａ）の工程を追加しても、それまで表示されていた色（この例では黒色）を表示し続けるように電界を印加するので、見た目に変化はなく使用者が違和感を覚えることもない。
【０１１２】
本実施形態では、図１２（Ａ）のように、続く工程での書き換え対象を反転表示する工程を含めることで、比較例での残像を解消することができる。具体的には、比較例と同じ４つの主要工程のそれぞれの前に、書き換え対象を反転表示する４つの予備工程を含める。
【０１１３】
図１３（Ａ）〜図１３（Ｈ）は、本実施形態における電気泳動表示装置の駆動方法による表示例を表す。ここで、図１３（Ｂ）の第１画像表示工程、図１３（Ｄ）の第１画像消去工程、図１３（Ｆ）の第２画像表示工程、図１３（Ｈ）の第２画像消去工程は、比較例と同じである。しかし、それぞれの工程の前に、書き換え対象を反転表示する４つの予備工程が実行される。４つの予備工程は、具体的には、図１３（Ａ）の第１画像予備表示工程、図１３（Ｃ）の第１画像予備消去工程、図１３（Ｅ）の第２画像予備表示工程、図１３（Ｇ）の第２画像予備消去工程である。
【０１１４】
図１３（Ａ）は、第１画像予備表示工程を実行したときの表示部３の表示画像と、そのための駆動画素１３を表す。第１画像予備表示工程では、部分駆動方式によって、表示部３に時刻表示１０：０５（第１の画像に対応）を白色（第２色に対応）で表示する。なお、第１画像予備表示工程の実行前は、表示部３は全面が白色の状態であったとする。
【０１１５】
第１画像予備表示工程では、続く第１画像表示工程（図１３（Ｂ））と同じ書き換え対象（時刻表示１０：０５）を、第１画像表示工程の場合とは反転して表示する。このとき、表示部３に変化はないが、書き換え対象の画素におけるイオン濃度を同じにして（図１２（Ｂ）参照）、第１画像表示工程において残像が生じることを回避できる。
【０１１６】
図１３（Ｂ）は、第１画像表示工程を実行したときの表示部３の表示画像と、そのための駆動画素１３を表す。図１３（Ｂ）は、比較例の説明における図８（Ａ）と同じであり、重複を避けるために説明を省略する。
【０１１７】
図１３（Ｃ）は、第１画像予備消去工程を実行したときの表示部３の表示画像と、そのための駆動画素１３を表す。第１画像予備消去工程では、部分駆動方式によって、表示部３に時刻表示１０：０５以外の部分（第１の画像の背景に対応）を白色（第２色に対応）で表示する。
【０１１８】
第１画像予備消去工程では、続く第１画像消去工程（図１３（Ｄ））と同じ書き換え対象（時刻表示１０：０５）を、第１画像消去工程の場合とは反転して表示する。このとき、表示部３に変化はないが、書き換え対象の画素におけるイオン濃度を同じにして、第１画像消去工程において残像が生じることを回避できる。
【０１１９】
図１３（Ｄ）は、第１画像消去工程を実行したときの表示部３の表示画像と、そのための駆動画素１３を表す。図１３（Ｄ）は、比較例の説明における図８（Ｂ）と同じであり、重複を避けるために説明を省略する。
【０１２０】
図１３（Ｅ）は、第２画像予備表示工程を実行したときの表示部３の表示画像と、そのための駆動画素１３を表す。第２画像予備表示工程では、部分駆動方式で、表示部３に時刻表示１０：０６以外の部分（第２の画像の背景に対応）を黒色（第１色に対応）で表示する。このとき、続く第２画像表示工程の反転表示をしており、表示部３に変化はないが、書き換え対象の画素におけるイオン濃度を同じにして残像を回避できる。
【０１２１】
図１３（Ｆ）は、第２画像表示工程を実行したときの表示部３の表示画像と、そのための駆動画素１３を表す。図１３（Ｆ）は、比較例の説明における図８（Ｃ）と同じであり説明を省略する。
【０１２２】
図１３（Ｇ）は、第２画像予備消去工程を実行したときの表示部３の表示画像と、そのための駆動画素１３を表す。第２画像予備消去工程では、部分駆動方式で、時刻表示１０：０６（第２の画像に対応）を黒色（第１色に対応）で表示する。このとき、続く第２画像消去工程の反転表示をしており、表示部３に変化はないが、書き換え対象の画素におけるイオン濃度を同じにして残像を回避できる。
【０１２３】
図１３（Ｈ）は、第２画像消去工程を実行したときの表示部３の表示画像と、そのための駆動画素１３を表す。図１３（Ｈ）は、比較例の説明における図８（Ｄ）と同じであり説明を省略する。なお、第２画像消去工程の実行後には、次の第１画像予備表示工程（図外）が実行されて、同じように各工程が繰り返されることになる。この例において、次の第１画像予備表示工程の第１の画像は時刻表示１０：０７である。
【０１２４】
これらの工程は、比較例のように全て部分駆動方式であり、全面駆動方式で表示画像の更新処理の時間を短くするときに生じる残像（全面駆動方式固有の残像）は発生しない。また、主要工程（比較例と共通する工程）のそれぞれの直前には、書き換え対象を反転表示する予備工程があるため、イオン分布の不均一に基づく残像も生じない。
【０１２５】
ここで、本実施形態の電気泳動表示装置の駆動方法も全体としてＤＣバランスが取られている。まず、４つの予備工程を１つのグループｇ０とする。すると、グループｇ０のうち、第１画像予備表示工程（図１３（Ａ））と第１画像予備消去工程（図１３（Ｃ））の駆動画素１３を合わせると表示部全体の画素を白色へと変化させている。一方、第２画像予備表示工程（図１３（Ｅ））と第２画像予備消去工程（図１３（Ｇ））の駆動画素１３を合わせると表示部全体の画素を黒色へと変化させている。よって、これらの４つの予備工程で、ＤＣバランスがとられている。
【０１２６】
また、４つの主要工程を１つのグループｇ１とする。グループｇ１については、比較例と工程が同じであり、前記のようにＤＣバランスがとられている。よって、グループｇ０とグループｇ１を合わせた全体としても、ＤＣバランスがとられることになる。その結果、本実施形態の電気泳動表示装置では、長期信頼性を確保でき表示品質が向上する。
【０１２７】
これらの工程順をフローチャートに表すと図１４のようになる。なお、比較例の図９と同じ工程には同じ符号を付している。図１４に示すように、まず第１の画像（例えば、分一桁が奇数の時刻表示）を第２色（例えば白色）で表示させる第１画像予備表示工程（Ｓ１）が実行され、続けて第１の画像を第１色（例えば黒色）で表示させる第１画像表示工程（Ｓ２）が実行される。
【０１２８】
そして、第１の画像の背景を第２色で表示させる第１画像予備消去工程（Ｓ３）が実行され、続けて第１の画像の背景を第１色で表示させることで表示部全体を第１色にする第１画像消去工程（Ｓ４）が実行される。
【０１２９】
その後、第２の画像（例えば、分一桁が偶数の時刻表示）の背景を第１色で表示させる第２画像予備表示工程（Ｓ１１）が実行され、続いて第２の画像の背景を第２色で表示させる第２画像表示工程（Ｓ１２）が実行される。
【０１３０】
そして、第２の画像を第１色で表示させる第２画像予備消去工程（Ｓ１３）が実行され、続いて第２の画像を第２色で表示させることで表示部全体を第２色にする第２画像消去工程（Ｓ１４）が実行される。そして、第２画像消去工程（Ｓ１４）の後は、次の第１画像予備表示工程（Ｓ１）に戻る。
【０１３１】
なお、各工程の間の時間は適宜調整されてもよい。例えば、第１の画像や第２の画像が時刻表示の場合には、第１画像表示工程と第２画像表示工程との間が１分になるように調整されてもよい。
【０１３２】
図１５は本実施形態における波形図の例である。なお、図１〜図１４と同じ要素には同じ符号を付しており説明を省略する。対応工程は図１３（Ａ）〜図１３（Ｈ）と同じである。この例では、電位Ｖａが画素電極に印加される画素４０Ａは、第１の画像および第２の画像を構成する１つの画素であるとする。また、電位Ｖｂが画素電極に印加される画素４０Ｂは、第１の画像の背景および第２の画像の背景を構成する１つの画素であるとする。
【０１３３】
例えば、第１画像予備表示工程では、第１の画像を白色で表示し（図１５のＶａ参照）、第１の画像の背景を白色のまま維持する（図１５のＶｂ参照）。また、例えば、第１画像表示工程では、第１の画像を黒色で表示し（図１５のＶａ参照）、第１の画像の背景を白色のまま維持する（図１５のＶｂ参照）。
【０１３４】
本実施形態における電気泳動表示装置の駆動方法は、４つの予備工程を含むことでイオン分布の不均一に基づく残像の発生を回避する。このとき、予備工程は書き換え対象の画素におけるイオン濃度が同じになる程度の時間だけ実行されればよい。つまり、第１画像予備表示工程は、続く第１画像表示工程よりも実行時間が短くてもよい。第１画像予備消去工程、第２画像予備表示工程、第２画像予備消去工程は、それぞれ続く第１画像消去工程、第２画像表示工程、第２画像消去工程よりも実行時間が短くてもよい。
【０１３５】
このとき、ＤＣバランスをとるためには、主要工程の各工程の実行時間が同じであることが好ましい。また、予備工程の各工程の実行時間が同じであることが好ましい。このことを前提とすると、予備工程（第１画像予備表示工程、第１画像予備消去工程、第２画像予備表示工程、第２画像予備消去工程）の実行時間は主要工程よりも短い、と表現することができる。なお、図１５ではＶＨ、ＶＬといった電位は固定であるが、可変である場合には、予備工程の電圧時間積が主要工程よりも小さくなるようにしてもよい。電圧時間積とは、共通電極と画素電極との間の電圧と、その印加時間とを乗じて得られる値である。
【０１３６】
図１５の波形図のように、予備工程の実行時間を主要工程よりも短くすることで、予備工程を含んでも、表示画像の更新時間が倍増するという問題が生じることはない。また、予備工程において電圧を低くする制御を行った場合には、予備工程が追加されることによる消費電力の増大を抑えることができる。
【０１３７】
２．第２実施形態
本発明の第２実施形態について図１６（Ａ）〜図１７を参照して説明する。第２実施形態についても、電気泳動表示装置の構成は第１実施形態と同じであるが（図１参照）、駆動方法が一部異なる。なお、図１〜図１５と同じ要素については同じ符号を付しており説明を省略する。
【０１３８】
２．１．パターン境界線
第１実施形態（および比較例）では、局所的なコントラスト比の低下を防ぐために、第１の画像（又は第２の画像）を駆動する工程と、第１の画像の背景（又は第２の画像の背景）を駆動する工程とを含む。ここで、電気泳動表示装置において電気泳動粒子のうち最後に駆動された色の粒子が広がりやすいことが知られている。そのため、第１の画像（又は第２の画像）の境界が工程によって内側又は外側にずれることがあり、輪郭部分に生じる境界線（パターン境界線）が視認される場合がある。
【０１３９】
例えば、第１画像表示工程が長時間続いた場合に、第１の画像の輪郭を超えて背景の一部まで黒色が広がる可能性がある。その後の第１画像消去工程では、第１の画像の背景が黒色で表示される。しかし、既に黒色が広がった背景の一部を黒色表示した場合の反射率と、それ以外（白色）の背景を黒色表示した場合の反射率とが異なるため、パターン境界線が視認される可能性がある。第２実施形態では、このようなパターン境界線が万一発生しても、目立ちにくくすることができるため、表示品質を向上させることができる。
【０１４０】
２．２．本実施形態の表示例
図１６（Ａ）〜図１６（Ｊ）は本実施形態の表示例を表す。図１６（Ａ）〜図１６（Ｊ）の工程名は、後述するフローチャートの工程名に対応するものである。なお、重複説明を避けるため、図１３（Ａ）〜図１３（Ｈ）と異なる工程についてのみ説明する。
【０１４１】
本実施形態では、図１６（Ｅ）のように表示部３の全画素を黒色（第１色に対応）で表示させる第１単一色表示工程と、図１６（Ｊ）のように表示部３の全画素を白色（第２色に対応）で表示させる第２単一色表示工程とを含む。なお、図１６（Ａ）〜図１６（Ｄ）は、図１３（Ａ）〜図１３（Ｄ）と同じ工程のため説明を省略する。また、図１６（Ｆ）〜図１６（Ｉ）は、図１３（Ｅ）〜図１３（Ｈ）と同じ工程のため説明を省略する。
【０１４２】
図１６（Ｅ）の第１単一色表示工程は、図１６（Ｄ）の第１画像消去工程の後に、部分駆動方式で表示部３の全画素を黒色にする。このとき、図１６（Ｄ）の第１画像消去工程で生じる可能性のあるパターン境界線を目立たなくすることができる。
【０１４３】
また、図１６（Ｊ）の第２単一色表示工程は、図１６（Ｉ）の第２画像消去工程の後に、部分駆動方式で表示部３の全画素を白色にする。このとき、図１６（Ｉ）の第２画像消去工程で生じる可能性のあるパターン境界線を目立たなくすることができる。
【０１４４】
本実施形態の電気泳動表示装置の駆動方法では、第１単一色表示工程および第２単一色表示工程を含むことで、第１の画像や第２の画像の輪郭部分に生じる境界線（パターン境界線）がある場合にも、パターン境界線を目立たなくすることができる。なお、本発明の電気泳動表示装置の駆動方法では、第１単一色表示工程と第２単一色表示工程とでＤＣバランスがとられることになる（グループｇ２）。ここで、前記のようにグループｇ０とグループｇ１はそれぞれＤＣバランスが取られているので、全体としてＤＣバランスが取られている。
【０１４５】
２．３．フローチャート
本実施形態の電気泳動表示装置の制御部が行う制御処理は、図１７のフローチャートの通りである。なお、図１４と同じステップ（工程）には同じ符号を付しており詳細な説明を省略する。
【０１４６】
本実施形態では、第１の画像を、第２色で表示させる第１画像予備表示工程（Ｓ１）、第１色で表示させる第１画像表示工程（Ｓ２）が続いて実行される。そして、第１の画像の背景を、第２色で表示させる第１画像予備消去工程（Ｓ３）、第１色で表示させて表示部全体を第１色にする第１画像消去工程（Ｓ４）が続いて実行される。しかし、第１画像消去工程（Ｓ４）においてパターン境界線が生じる可能性がある。そこで、パターン境界線を目立たなくするために、表示部全体を第１色にする第１単一色表示工程を続いて実行する（Ｓ５）。本実施形態では、部分駆動方式で表示部全体を第１色にする。
【０１４７】
その後、第２の画像の背景を、第１色で表示させる第２画像予備表示工程（Ｓ１１）、第２色で表示させる第２画像表示工程（Ｓ１２）が続いて実行される。そして、第２の画像を、第１色で表示させる第２画像予備消去工程（Ｓ１３）、第２色で表示させて表示部全体を第２色にする第２画像消去工程（Ｓ１４）が続いて実行される。しかし、第２画像消去工程（Ｓ１４）においてパターン境界線が生じる可能性がある。そこで、パターン境界線を目立たなくするために、表示部全体を第２色にする第２単一色表示工程を続いて実行する（Ｓ１５）。本実施形態では、部分駆動方式で表示部全体を第２色にする。そして、第２単一色表示工程（Ｓ１５）の後は、次の第１画像予備表示工程（Ｓ１）に戻る。
【０１４８】
ここで、本実施形態の電気泳動表示装置では、これらの１０の工程でＤＣバランスがとられるため、時刻表示のように偶数回の表示画像の更新（表示および消去）が予定されている用途に適している。
【０１４９】
３．適用例
本発明の適用例について図１８〜図１９（Ｂ）を参照して説明する。なお、図１〜図１７と同じ要素については同一符号を付して説明を省略する。第１実施形態、第２実施形態の電気泳動表示装置は、例えば時刻表示を行う電子時計などの電子機器に適用できる。
【０１５０】
３．１．電子機器のブロック図
図１８は適用例に係る電子機器１のブロック図である。電子機器１は、ＣＰＵ２、入力部４、記憶部５、電気泳動表示装置１０を含む。電気泳動表示装置１０は、第１実施形態又は第２実施形態の電気泳動表示装置であって、様々な画像を表示する表示部３を含む。
【０１５１】
ＣＰＵ２は、他のブロックを制御し様々な演算や処理を行う。ＣＰＵ２は、例えば記憶部５からプログラムを読み込み、プログラムに従って電気泳動表示装置１０に時刻信号などを入力してもよい。
【０１５２】
入力部４は、例えば電子機器１の使用者からの指示を受け取り、指示に応じた信号を他のブロックに出力してもよい。
【０１５３】
記憶部５は、例えばＤＲＡＭやＳＲＡＭなどのメモリーであってもよいし、ＲＯＭを含んでいてもよい。ＣＰＵ２が使用するプログラムは、例えば記憶部５が含むＲＯＭに書かれていてもよい。
【０１５４】
表示部３は、電気泳動表示装置１０の一部であって、例えば時刻を表示したり、文字、写真などを表示したりしてもよい。
【０１５５】
電子機器１は、第１実施形態又は第２実施形態の電気泳動表示装置１０を含むことで、表示画像のＤＣバランスをとりつつ、局所的なコントラスト比の低下や残像の発生を抑えることができる。そのため、長期的信頼性に優れ、表示品質のよい電子機器を実現できる。
【０１５６】
３．２．電子機器の具体例
図１９（Ａ）〜図１９（Ｂ）に、電子機器の具体例を示す。図１９（Ａ）は電子機器の１つである電子時計１０００の正面図である。電子時計１０００は、例えば腕時計であり、時計ケース１００２と、時計ケース１００２に連結された一対のバンド１００３とを備える。時計ケース１００２の正面には、電気泳動表示装置１０の表示部３（図１８参照）である表示部１００４が設けられ、時刻表示１００５を行っている。時計ケースの側面には、２つの操作ボタン１０１１と１０１２とが設けられ、入力部４（図１８参照）として機能する。
【０１５７】
また、例えば図１９（Ｂ）は電子機器の１つである電子ペーパー１１００の斜視図である。電子ペーパー１１００は可撓性を有し、電気泳動表示装置１０の表示部３（図１８参照）である表示領域１１０１と、本体１１０２とを備えている。
【０１５８】
第１実施形態、第２実施形態の電気泳動表示装置は、これらの具体例を含む、様々な電子機器に適用できる。そして、そのような電子機器は、ＤＣバランスが取れていることで表示部の長期信頼性を確保でき、局所的なコントラスト比の低下、全面駆動方式固有の残像、イオンの不均一な分布で生じる残像の発生を抑えることで表示品質を向上させることができる。
【０１５９】
４．その他
第２実施形態では、表示部の全画素を単一色表示する場合でも、部分駆動方式が用いられていた。しかし、全面駆動方式を用いてもよい。具体的には、第２実施形態において第１単一色表示工程、第２単一色表示工程で、全面駆動方式によって、表示部の全画素をそれぞれ第１色、第２色で表示させてもよい。
【０１６０】
前記の実施形態においては、電気泳動表示装置は、黒粒子および白粒子による白黒二粒子系の電気泳動が行われるものに限られず、青白等の一粒子系の電気泳動を行っても良く、また、白黒以外の組み合わせでも構わない。
【０１６１】
そして、電気泳動表示装置に限らず、メモリー性の表示手段に前記の駆動方法が適用されてもよい。例えば、ＥＣＤ（Electrochromic Display＝エレクトロクロミックディスプレイ）、強誘電性液晶ディスプレイ、コレステリック液晶ディスプレイ等である。
【０１６２】
さらに、前記の適用例の電子時計は、腕時計に限らず、置き時計、掛け時計、懐中時計などの時計機能を有する機器に広く適用できる。
【０１６３】
これらの例示に限らず、本発明は、実施の形態で説明した構成と実質的に同一の構成（例えば、機能、方法および結果が同一の構成、あるいは目的および効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１６４】
１…電子機器、２…ＣＰＵ、３…表示部、４…入力部、５…記憶部、１０…電気泳動表示装置、１３…駆動画素、３５，３５Ａ，３５Ｂ…画素電極、３７…共通電極、３８…接着層、３９Ａ，３９Ｂ…領域、４０，４０Ａ，４０Ｂ…画素、４８…駆動用ＴＦＴ（Thin Film Transistor）、４９…低電位電源線（Ｖｓｓ）、５０…高電位電源線（Ｖｄｄ）、５１，５２…領域、５５…共通電極配線（Ｖｃｏｍ）、６０…表示制御回路、６１…走査線駆動回路、６２…データ線駆動回路、６３…コントローラー、６４…共通電源変調回路、６６…走査線、６８…データ線、７０…ラッチ回路、８０…スイッチ回路、９１…第１のパルス信号線（Ｓ１）、９２…第２のパルス信号線（Ｓ２）、１２０…マイクロカプセル、１２６…黒色粒子、１２７…白色粒子、１３０…素子基板、１３１…対向基板、１３２…電気泳動素子、１６０…記憶部、３５０…駆動電極層、３６０…電気泳動表示層、３７０…共通電極層、１０００…電子時計、１００２…時計ケース、１００３…バンド、１００４…表示部、１００５…時刻表示、１０１１，１０１２…操作ボタン、１１００…電子ペーパー、１１０１…表示領域、１１０２…本体
【図１】
2013130629.tif 000003
【図２】
2013130629.tif 000004
【図３】
2013130629.tif 000005
【図４】
2013130629.tif 000006
【図５】
2013130629.tif 000007
【図６】
2013130629.tif 000008
【図９】
2013130629.tif 000009
【図１０】
2013130629.tif 000010
【図１２】
2013130629.tif 000011
【図１４】
2013130629.tif 000012
【図１５】
2013130629.tif 000013
【図１７】
2013130629.tif 000014
【図１８】
2013130629.tif 000015
【図１９】
2013130629.tif 000016
【図７】
2013130629.tif 000017
【図８】
2013130629.tif 000018
【図１１】
2013130629.tif 000019
【図１３】
2013130629.tif 000020
【図１６】
2013130629.tif 000021